(57)【要約】【課題】簡易な構成にて電線を容易に仮止めすることができ、電線と接続対象物とを迅速かつ正確に接続することができる電線接続部材を提供すること。【解決手段】電線接続部材１５は、電線１６の芯線部１６ａを電線ヒューズ１０の端子部１２に接続する。電線接続部材１５は、圧縮変形可能な導体によって円筒状に形成され、芯線部１６ａが挿入される挿入穴２０ｂを有する筒部２０と、筒部２０の内面から挿入穴２０ｂの中心に向かって突出し、かつ、該挿入穴２０ｂに挿入される芯線部１６ａの先端部近傍の外面と当接可能に形成された一対の突起部２２と、を備える。突起部２２は、挿入穴２０ｂの挿入方向における奥側に配置されている。突起部２２は、傾斜面２２ａを有する。筒部２０の外周面には、圧縮工具による圧縮位置を表示する圧縮位置表示部２３が設けられている。【選択図】図５
2011009162.tif 000002
【特許請求の範囲】
【請求項１】
電線の芯線部を接続対象物に接続する電線接続部材であって、
圧縮変形可能な導体によって筒状に形成され、前記芯線部が挿入される挿入穴を有する筒部と、
前記筒部の内面から前記挿入穴の中心に向かって突出し、かつ、該挿入穴に挿入される前記芯線部の外面と当接可能に形成された突起部と、
を備えることを特徴とする電線接続部材。
【請求項２】
前記突起部は、前記挿入穴の挿入方向における奥側に配置され、かつ、前記芯線部の先端部近傍の外面と当接可能に形成されることを特徴とする請求項１に記載の電線接続部材。
【請求項３】
前記突起部は、該突起部の基端部から先端部に向かって細くなっており、かつ、前記芯線部の挿入方向に向かって該突起部の突出高さが漸次高くなる傾斜面を有することを特徴とする請求項１又は２に記載の電線接続部材。
【請求項４】
前記筒部の外周面には、圧縮される位置を表示する圧縮位置表示部が設けられることを特徴とする請求項１から３のいずれかに記載の電線接続部材。
【請求項５】
電線の芯線部を接続対象物に接続する電線接続部材であって、
圧縮変形可能な導体によって筒状に形成され、前記芯線部が挿入される挿入穴を有する筒部と、
前記挿入穴に挿入可能な筒状に形成され、前記芯線部の先端部が嵌入される嵌入穴を有するキャップ部と、
前記キャップ部の外面から突出し、かつ、前記筒部の内面と当接可能に形成された突起部と、
を備えることを特徴とする電線接続部材。
【発明の詳細な説明】
【技術分野】
【０００１】
本発明は、電線接続部材に関する。
【背景技術】
【０００２】
従来より、電力供給側の配電線と電力需要側の引込口配線との接続部には、電線ヒューズが設けられている。電線ヒューズは、例えば、引込口配線に過大な電流が流れた場合に、内蔵するヒューズエレメントを溶断させることで電流の流れを遮断し、該引込線等を保護するものである。
【０００３】
このような電線ヒューズは、電線の芯線部を圧着固定する電線接続部材を有する。電線接続部材は、電線の芯線部が挿入され、圧縮工具によって圧縮変形されることにより、該芯線部と電線ヒューズとを電気的に接続する部材である。
【０００４】
電線ヒューズは、上記保護機能を必要時に確実に発揮させるため、破損していなくても定期的（例えば、１５年から２０年毎）に交換する必要がある。この交換作業において、電線と新規な電線ヒューズとを接続する場合、電線の芯線部を電線ヒューズの電線接続部材に挿入する。そして、該芯線部が位置ずれしないようにペンチ等で電線等を押さえながら、該電線接続部材を圧縮工具によって圧縮変形させることで、電線と電線ヒューズとを接続（圧着）していた。
【０００５】
しかしながら、上記接続作業は、繊細な注意力を要する細かい作業であり、しかも電柱上や高所作業車のバケット等の高所で作業する必要がある。そのため、作業性が非常に悪かった。
【０００６】
そこで、上記作業性を向上させるために、次のような電線ヒューズが提供されている（例えば、特許文献１参照）。
すなわち、特許文献１に係る従来技術は、容器内に封入されたヒューズエレメントの両端に電線挿入孔付き棒状圧縮端子部を接続し、この圧縮端子部を上記容器の両端封止部から外部に導出した電線ヒューズであって、上記圧縮端子部の外周を、可撓性を有する硬質の絶縁被覆部材で被覆し、該絶縁被覆部材の内部の一部を、挿入する電線の外周が抜けない程度の径に狭く形成したものである。
【先行技術文献】
【特許文献】
【０００７】
【特許文献１】特開平８−６４１０８号公報
【発明の概要】
【発明が解決しようとする課題】
【０００８】
しかしながら、上記特許文献１に係る従来技術は、電線を仮止めすることはできるものの、絶縁被覆部材の上から圧縮工具（例えば、圧縮ダイス等）によって圧縮しているため、圧縮位置が僅かでもずれると、該絶縁被覆部材が経年劣化したときに、接触不良や絶縁破壊が起こり易くなってしまう。このため、電線と電線ヒューズとを迅速かつ正確に接続することが困難であった。
【０００９】
前述の問題点は、電線ヒューズ以外の接続対象物（例えば、電線等）においても同様に発生する場合がある。
【００１０】
本発明は、上記に鑑みてなされたものであって、簡易な構成にて電線を容易に仮止めすることができ、電線と接続対象物とを迅速かつ正確に接続することができる電線接続部材を提供することを目的とする。
【課題を解決するための手段】
【００１１】
（１）  本発明は、電線の芯線部を接続対象物に接続する電線接続部材であって、圧縮変形可能な導体によって筒状に形成され、前記芯線部が挿入される挿入穴を有する筒部と、前記筒部の内面から前記挿入穴の中心に向かって突出し、かつ、該挿入穴に挿入される前記芯線部の外面と当接可能に形成された突起部と、を備えることを特徴とする。
【００１２】
（２）  （１）に記載の発明においては、前記突起部は、前記挿入穴の挿入方向における奥側に配置され、かつ、前記芯線部の先端部近傍の外面と当接可能に形成されることが好ましい。
【００１３】
（３）  （１）又は（２）に記載の発明においては、前記突起部は、該突起部の基端部から先端部に向かって細くなっており、かつ、前記芯線部の挿入方向に向かって該突起部の突出高さが漸次高くなる傾斜面を有することが好ましい。
【００１４】
（４）  （１）から（３）のいずれかに記載の発明においては、前記筒部の外周面には、圧縮される位置を表示する圧縮位置表示部が設けられることが好ましい。
【００１５】
（５）  本発明は、電線の芯線部を接続対象物に接続する電線接続部材であって、圧縮変形可能な導体によって筒状に形成され、前記芯線部が挿入される挿入穴を有する筒部と、前記挿入穴に挿入可能な筒状に形成され、前記芯線部の先端部が嵌入される嵌入穴を有するキャップ部と、前記キャップ部の外面から突出し、かつ、前記筒部の内面と当接可能に形成された突起部と、を備えることを特徴とする。
【発明の効果】
【００１６】
本発明によれば、簡易な構成にて電線を容易に仮止めすることができ、電線と接続対象物とを迅速かつ正確に接続することができる電線接続部材を提供することができる。
【図面の簡単な説明】
【００１７】
【図１】本発明の第１実施形態に係る電線接続部材１５が適用される電線ヒューズ１０を示す軸方向断面図である。
【図２】本発明の第１実施形態に係る電線接続部材１５を軸方向で切断した部分断面図である。
【図３】電線接続部材１５の突起部２２を挿入穴２０ｂ側から視た図である。
【図４】電線接続部材１５の圧縮位置表示部２３を筒部２０の径方向から視た図である。
【図５】電線１６の芯線部１６ａが電線接続部材１５によって仮固定された状態を示す部分断面図である。
【図６】突起部２２の変形例を示す図である。
【図７】突起部２２の変形例を示す図である。
【図８】突起部２２の変形例を示す図である。
【図９】本発明の第２実施形態に係る電線接続部材２５を軸方向で切断した部分断面図である。
【図１０】電線１６の芯線部１６ａが電線接続部材２５によって仮固定された状態を示す部分断面図である。
【発明を実施するための形態】
【００１８】
以下に、本発明の実施形態を図面に基づいて詳細に説明する。
【００１９】
〔第１実施形態〕
＜電線ヒューズ１０の説明＞
先ず、本発明の第１実施形態に係る電線接続部材１５が適用される電線ヒューズ１０の全体構成について、図１を参照しながら説明する。図１は、本発明の第１実施形態に係る電線接続部材１５が適用される電線ヒューズ１０を示す軸方向断面図である。
【００２０】
図１に示すように、電線ヒューズ１０は、ヒューズ本体１１と、端子部１２と、電線接続部材１５と、保護キャップ１７と、カバー１８と、を備える。
【００２１】
ヒューズ本体１１は、二重円筒状に密閉構成されている。ヒューズ本体１１は、端子部１２を流れる電流が所定値以上の場合に溶断するヒューズエレメントを内蔵して構成されている。
【００２２】
端子部１２は、ヒューズ本体１１の上記ヒューズエレメントに接続され、該ヒューズ本体１１の軸方向両端部からそれぞれ外方に向けて突出している。端子部１２は、導電性金属により丸棒状に形成されている。
【００２３】
電線接続部材１５は、電線１６の芯線部１６ａを、接続対象物である電線ヒューズ１０の端子部１２に接続するものである。電線接続部材１５は、円筒状に形成され、軸方向両端部が開口している。電線接続部材１５の一端の開口には、端子部１２が挿入され、固定されている。つまり、電線接続部材１５は、ヒューズ本体１１の軸方向両端部からそれぞれ外方に向けて突出している。
電線接続部材１５の更に詳細な構成については、後述する。
【００２４】
保護キャップ１７は、ヒューズ本体１１の端部と、該端部から突出する電線接続部材１５の一部とを覆う絶縁部材である。
カバー１８は、保護キャップ１７の端部と、該端部から突出する電線接続部材１５と、該電線接続部材１５に接続された電線１６の端部とを覆う絶縁部材である。
【００２５】
＜電線接続部材１５の説明＞
次に、電線接続部材１５について図２から図５を参照して説明する。図２は、本発明の第１実施形態に係る電線接続部材１５を軸方向で切断した部分断面図である。また、図２は、電線１６の芯線部１６ａが電線接続部材１５によって仮固定される前の状態を示している。図３は、電線接続部材１５の突起部２２を挿入穴２０ｂ側から視た図である。図４は、電線接続部材１５の圧縮位置表示部２３を筒部２０の径方向から視た図である。図５は、電線１６の芯線部１６ａが電線接続部材１５によって仮固定された状態を示す部分断面図である。
【００２６】
電線接続部材１５は、電線１６の芯線部１６ａを電線ヒューズ１０の端子部１２（図１参照）に接続するものである。
図２に示すように、電線接続部材１５は、筒部２０と、突起部２２と、該筒部２０の外周面に設けられた圧縮位置表示部２３と、を備える。
【００２７】
筒部２０は、図２に示すように、圧縮変形可能な導体（例えば、銅）によって円筒状に形成されている。筒部２０は、軸方向の一端部に挿入穴２０ａを有し、軸方向の他端部に挿入穴２０ｂを有する。
また、図１及び図２に示すように、筒部２０の内部であって軸方向の略中間位置には、該筒部２０の内部を区画する仕切り部２１が設けられている。
【００２８】
挿入穴２０ａは、図１に示すように、電線ヒューズ１０の端子部１２を挿入可能に形成されている。
挿入穴２０ｂは、図２に示すように、電線１６の芯線部１６ａを挿入可能に形成されている。挿入穴２０ｂの深さ寸法は、芯線部１６ａの長さ寸法よりも若干小さいことが好ましい。なお、図２及び図５においては、端子部１２の図示を省略してある。
【００２９】
仕切り部２１は、挿入穴２０ａから挿入される端子部１２（図１参照）の挿入位置を規制すると共に、挿入穴２０ｂから挿入される芯線部１６ａの挿入位置を規制する。
【００３０】
突起部２２は、図２及び図３に示すように、筒部２０の内面から挿入穴２０ｂの中心に向かって一対突出し、かつ、図５に示すように、該挿入穴２０ｂに挿入される芯線部１６ａの先端部近傍の外面と当接可能に形成されている。
すなわち、一対の突起部２２の先端部同士の距離は、芯線部１６ａの外径よりも若干小さくなっている。つまり、一対の突起部２２の先端部間に形成される隙間は、芯線部１６ａの外径よりも若干小さくなっている。
【００３１】
また、突起部２２は、図２に示すように、挿入穴２０ｂの挿入方向における奥側（仕切り部２１の近傍）に配置されている。すなわち、突起部２２は、芯線部１６ａの圧縮位置（後述する圧縮位置表示部２３の位置）よりも更に仕切り部２１に近い位置に配置されている。
【００３２】
また、突起部２２は、該突起部２２の基端部から先端部に向かって細くなっており、かつ、芯線部１６ａの挿入方向に向かって該突起部２２の突出高さが漸次高くなる傾斜面２２ａを有する。
【００３３】
図２及び図４に示すように、筒部２０の外周面の２箇所には、圧縮工具による圧縮位置を表示する圧縮位置表示部２３が設けられている。この２つの圧縮位置表示部２３は、筒部２０の外周面に所定間隔をあけて帯状に設けられている。圧縮位置表示部２３は、例えば、筒部２０の外周面を赤色に着色することによって設けられる。
【００３４】
次に、電線ヒューズ１０（図１参照）に電線１６を接続する場合における電線接続部材１５の作用について、図２及び図５を参照しながら説明する。電線接続部材１５は、電線ヒューズ１０の構成部材として、一端を端子部１２（図１参照）に固定されているものとする。
【００３５】
図２に示すように、電線１６の芯線部１６ａを、電線接続部材１５の挿入穴２０ｂに挿入していく。すると、芯線部１６ａの先端は、突起部２２の傾斜面２２ａに当接しながら仕切り部２１に向かって進入し、図５に示すように、突起部２２を越えて仕切り部２１に当接する。
【００３６】
芯線部１６ａの先端が仕切り部２１に当接することで、芯線部１６ａのそれ以上の進入が規制される。これにより、芯線部１６ａは、電線接続部材１５に対して正確に位置決めされる。
【００３７】
上述したように、一対の突起部２２の先端部間に形成される隙間は、芯線部１６ａの外径よりも若干小さくなっている。そのため、芯線部１６ａは、一対の突起部２２によって挟持される。すなわち、芯線部１６ａは、電線接続部材１５の突起部２２によって仮止めされるので、電線１６が電線ヒューズ１０から容易に抜けることがない。
【００３８】
次に、電線接続部材１５の圧縮位置表示部２３を圧縮工具によって圧縮する。すると、その圧縮箇所が変形し、筒部２０と芯線部１６ａとが圧着される。これにより、電線ヒューズ１０の端子部１２と電線１６の芯線部１６ａとが電気的に接続される。
【００３９】
以上のように、第１実施形態に係る電線接続部材１５によれば、以下に示す各効果が奏される。
第１実施形態に係る電線接続部材１５は、電線１６の芯線部１６ａを挿入する挿入穴２０ｂを有する筒部２０と、挿入される芯線部１６ａと当接可能な突起部２２と、を備える。そのため、筒部２０の挿入穴２０ｂに挿入された芯線部１６ａは、突起部２２によって仮止めされるので、ペンチ等の工具を用いて芯線部１６ａを押さえる必要がなく、即座に圧縮工具による圧着作業を行うことができる。
したがって、電線接続部材１５によれば、簡易な構成にて電線１６を容易に仮止めすることができ、電線１６と電線ヒューズ１０とを迅速かつ正確に接続することができる。これにより、電線ヒューズ１０の交換作業数が多い場合には、全体としての作業時間を大幅に短縮することができ、該作業に伴う停電時間を大幅に短縮することができる。
【００４０】
また、上記特許文献１に係る従来技術の場合と異なり、筒部２０の圧着箇所は、絶縁性を有するカバー１８で被覆されているので、仮にカバー１８が経年劣化しても、該カバー１８のみを交換等すればよく、カバー１８の経年劣化に起因する圧着箇所の接触不良や絶縁破壊は起こりにくい。
【００４１】
また、突起部２２は、挿入穴２０ｂの挿入方向における奥側に配置され、かつ、該挿入穴２０ｂに挿入される芯線部１６ａの先端部近傍の外面と当接可能に形成されている。そのため、突起部２２によって仮止めされるのは、芯線部１６ａの先端部近傍部分であり、圧縮される箇所とは異なっている。
したがって、芯線部１６ａの圧縮対象箇所が、突起部２２による仮止めによって傷付くのを防止することができ、電気的接続不良等の不具合の発生を抑制することができる。
【００４２】
また、突起部２２は、該突起部２２の基端部から先端部に向かって細くなっており、かつ、芯線部１６ａの挿入方向に向かって該突起部２２の突出高さが漸次高くなる傾斜面２２ａを有している。そのため、芯線部１６ａの先端が、突起部２２と当接する際の抵抗を傾斜面２２ａによって低減することができ、芯線部１６ａを円滑に仮止めすることができる。
【００４３】
また、筒部２０の外周面には、圧縮位置表示部２３が設けられている。そのため、圧縮すべき位置を容易に把握することができ、容易かつ正確に圧縮作業を行うことができる。
【００４４】
また、筒部２０の内部には、仕切り部２１が設けられている。そのため、芯線部１６ａを挿入穴２０ｂに挿入する際に、仕切り部２１によって芯線部１６ａのそれ以上の進入を規制することができる。したがって、電線接続部材１５に対して芯線部１６ａを正確に位置決めすることができる。
【００４５】
なお、上記第１実施形態においては、突起部２２は、筒部２０の内面から挿入穴２０ｂの中心に向かって２つ（一対）設けられるものとして説明したが、これに限定されない。
例えば、突起部２２は、図６に示すように、筒部２０の内面にそれぞれ均等ピッチで３つ突出させて設けられてもよい。
【００４６】
また、図７に示すように、突起部２２は、筒部２０の内面にそれぞれ均等ピッチで４つ突出させて設けられてもよい。ここで、図６及び図７は、突起部２２の変形例を示す図であり、該突起部２２を挿入穴２０ｂ側から視た図である。
【００４７】
また、図示例を省略するが、突起部２２は、筒部２０の内面にそれぞれ均等ピッチで５つ以上突出させて設けられてもよい。
【００４８】
これらの場合も、上記第１実施形態の場合と同様の効果を奏することができる。
【００４９】
また、図８に示すように、プレス加工等によって筒部２０の外面を挿入穴２０ｂの中心に向かって押圧することで、突起部２２を２つ（一対）成形してもよい。ここで、図８は、突起部２２の変形例を示す図であり、電線接続部材１５を軸方向で切断した部分断面図である。この場合も、上記第１実施形態の場合と同様の効果を奏することができる。また、該プレス加工等によって突起部２２を容易に形成することができる。
【００５０】
また、図示例を省略するが、上記プレス加工等によって突起部２２を成形する場合においても、３つ以上成形してもよい。この場合も、上記第１実施形態の場合と同様の効果を奏することができる。
【００５１】
〔第２実施形態〕
図９は、本発明の第２実施形態に係る電線接続部材２５を軸方向で切断した部分断面図であり、電線１６の芯線部１６ａが電線接続部材２５によって仮固定される前の状態を示すものである。図１０は、電線１６の芯線部１６ａが電線接続部材２５によって仮固定された状態を示す部分断面図である。
【００５２】
なお、以下の説明において、既に説明した部材と同一の部材若しくは既に説明した部材に相当する部材には、同一の符号を付して説明を省略又は簡略化する。また、図９及び図１０においては、端子部１２の図示を省略してある。
【００５３】
図９及び図１０に示すように、本発明の第２実施形態に係る電線接続部材２５は、筒部２０と、キャップ部３０と、突起部３２と、を備える。
【００５４】
筒部２０は、上記第１実施形態で示した筒部２０（図２参照）と略同様に構成されており、異なる点は、筒部２０の内面に突起部２２が設けられていないことである。
【００５５】
キャップ部３０は、芯線部１６ａの先端部に装着される部材であり、円筒状の筒部３０ａと、該筒部３０ａの一端を閉塞する底部３０ｂと、から構成されている。
【００５６】
筒部３０ａは、芯線部１６ａの先端部が嵌入される嵌入穴３１を有する。この嵌入穴３１の内径は、芯線部１６ａの外径よりも若干小さくなっている。そのため、芯線部１６ａの先端部が嵌入穴３１に嵌入されると、容易には抜けないようになっている。
【００５７】
突起部３２は、キャップ部３０の外面から一対突出し、かつ、筒部２０の内面と当接可能に形成されている。すなわち、突起部３２は、電線接続部材２５の挿入穴２０ｂに挿入されたキャップ部３０（図１０参照）が、該挿入穴２０ｂから容易に抜けないように、所定の高さを有している。
【００５８】
また、突起部３２は、該突起部３２の基端部から先端部に向かって細くなっており、かつ、嵌入穴３１側に向かって該突起部２２の突出高さが漸次高くなる傾斜面３２ａを有している。
【００５９】
以上のように構成されたキャップ部３０及び突起部３２は、導電性の金属材料（例えば、銅）により形成されることが好ましいが、導電性の樹脂等により形成されてもよい。
【００６０】
次に、電線ヒューズ１０（図１参照）に電線１６を接続する場合における電線接続部材２５の作用について、図９及び図１０を参照しながら説明する。電線接続部材２５は、電線ヒューズ１０の構成部材として、一端を端子部１２に固定されているものとする。
【００６１】
図９に示すように、電線１６の芯線部１６ａをキャップ部３０の嵌入穴３１に嵌入することにより、キャップ部３０を芯線部１６ａに固定する。
【００６２】
次に、キャップ部３０が固定された芯線部１６ａを、電線接続部材２５の挿入穴２０ｂに挿入していく。すると、キャップ部３０は、突起部３２を筒部２０の内面に当接させながら仕切り部２１に向かって進入し、やがて、図１０に示すように、底部３０ｂが仕切り部２１に当接する。
【００６３】
キャップ部３０の底部３０ｂが仕切り部２１に当接することで、芯線部１６ａのそれ以上の進入が規制される。これにより、芯線部１６ａは、電線接続部材２５に対して正確に位置決めされる。
【００６４】
上述したように、キャップ部３０は、筒部２０の内面と当接可能な一対の突起部３２を有している。そのため、キャップ部３０が固定された芯線部１６ａは、該キャップ部３０を介して筒部２０に保持される。すなわち、芯線部１６ａは、筒部２０によって仮止めされるので、電線１６が電線ヒューズ１０から容易に抜けることがない。
【００６５】
次に、電線接続部材２５の圧縮位置表示部２３を圧縮工具によって圧縮する。すると、その圧縮箇所が変形し、筒部２０と芯線部１６ａとが圧着される。これにより、電線ヒューズ１０の端子部１２（図１参照）と電線１６の芯線部１６ａとが電気的に接続される。
【００６６】
以上のように、第２実施形態に係る電線接続部材２５によれば、以下に示す各効果が奏される。
第２実施形態に係る電線接続部材２５は、筒部２０と、キャップ部３０と、突起部３２と、を備える。そのため、筒部２０の挿入穴２０ｂに挿入された芯線部１６ａは、該筒部２０によって仮止めされるので、ペンチ等の工具を用いて芯線部１６ａを押さえる必要がなく、即座に圧縮工具による圧着作業を行うことができる。
また、圧縮すべき位置は、圧縮位置表示部２３によって表示されているので、容易かつ正確に圧縮作業を行うことができる。
したがって、電線接続部材２５によれば、簡易な構成にて電線１６を容易に仮止めすることができ、電線１６と電線ヒューズ１０とを迅速かつ正確に接続することができる。
【００６７】
なお、上記第２実施形態においては、突起部３２は、キャップ部３０の外面から２つ（一対）設けられるものとして説明したが、これに限定されない。
例えば、突起部３２は、キャップ部３０の外面から３つ以上突出させて設けられてもよい。この場合も、上記第２実施形態の場合と同様の効果を奏することができる。
【００６８】
以上、本発明の一実施形態について説明したが、本発明は、前述した実施形態に制限されるものではなく、適宜変更が可能である。
例えば、上述の電線接続部材１５，２５は、接続対象物として、電線ヒューズ１０の端子部１２に接続されるものとして説明したが、これに限定されない。すなわち、接続対象物は、電線ヒューズ１０の端子部１２でなくてもよく、他の電線等であってもよい。
したがって、本発明に係る電線接続部材を、いわゆる足し線用のスリーブとして用いることもできる。この場合も、上記各実施形態の場合と同様の効果を奏することができる。
【符号の説明】
【００６９】
１２  端子部（接続対象物）
１５  電線接続部材
１６  電線
１６ａ  芯線部
２０  筒部
２０ｂ  挿入穴
２２  突起部
２２ａ  傾斜面
２３  圧縮位置表示部
２５  電線接続部材
３０  キャップ部
３１  嵌入穴
３２  突起部
【図１】
2011009162.tif 000003
【図２】
2011009162.tif 000004
【図３】
2011009162.tif 000005
【図４】
2011009162.tif 000006
【図５】
2011009162.tif 000007
【図６】
2011009162.tif 000008
【図７】
2011009162.tif 000009
【図８】
2011009162.tif 000010
【図９】
2011009162.tif 000011
【図１０】
2011009162.tif 000012